(57)【要約】【課題】互いに異なる構成の光走査装置に対して共通のデータ形式の制御信号を出力する画像形成装置、及び前記制御信号に基づいて光走査制御を行なう光走査装置を提供すること。【解決手段】画像処理部では、受信した画像データに対して濃度調整やスクリーミング処理等の前処理を行ない（ステップ１００〜１０２）、その画像データに基づいて、記録用紙の主走査方向に沿って４画素分毎にパッキングしたパッキングデータを生成し、画像展開部へパラレル転送し、画像展開部で一時記憶する（ステップ１０４）。一時記憶されたパッキングデータは、光源に対応する画素データ毎に読み出され、光源の点灯制御を行なうための光源駆動制御信号として生成され（ステップ１０６）、その光源駆動制御信号によって光源の走査タイミングに応じて発光走査を実行する（ステップ１０８）。【選択図】　　　　図６
2004098391.tif 000002
【特許請求の範囲】
【請求項１】
入力された画像データを、主走査方向に沿った複数画素毎にパッキングする処理を行なってパッキングデータを出力する画像処理手段と、
前記画像処理手段から出力されたパッキングデータを前記主走査方向に沿ったシリアルデータに展開して出力するデータ展開手段と、
前記データ展開手段から出力されるシリアルデータに基づいて、画像情報を担持するための感光体に光ビームを走査することで、当該感光体上に画像を形成する走査手段と、
を有する画像形成装置。
【請求項２】
画像データが主走査方向に沿った複数画素毎にパッキングされたパッキングデータを、前記主走査方向に沿ったシリアルデータに展開して出力するデータ展開手段と、
前記データ展開手段から出力されるシリアルデータに基づき、画像情報を担持するための感光体に光ビームを走査することで、当該感光体上に画像を形成する走査手段と、
を有する光走査装置。
【発明の詳細な説明】
【０００１】
【発明の属する技術分野】
本発明は、画像形成装置及び光走査装置に係り、特に、画像情報を担持するための感光体に光ビームを走査することで、当該感光体上に画像を形成する画像形成装置、及び前記感光体に光ビームを走査する光走査装置に関する。
【０００２】
【従来の技術】
従来から、電子写真技術を用いたプリンタ、複写機等の画像形成装置では、記録媒体（記録用紙等）に記録する元画像としての潜像を形成するために感光体上に光ビームを走査する光走査装置として、ポリゴンミラーで偏向したレーザ光を感光体に照射して潜像を形成するレーザ走査装置や、感光体に対向するように主走査方向に沿って複数配設された発光素子（ＬＥＤやＥＬ素子等）チップから光ビームを照射して潜像を形成するプリントヘッド等が一般に用いられている。
【０００３】
このような光走査装置として用いられるプリントヘッドとしては、例えば、１ラインの印画を複数のブロックに分割し、ブロック単位で印画するようにした時分割方式のもの（例えば、特許文献１参照。）や、複数の発光素子が連設されたラインヘッドにおいて各発光素子に対応するレジスタに各々データセレクタを介して接続された複数のラインメモリに、入力される印刷データを順次一時記憶し、各データセレクタがラインメモリ内の印刷データから所定のアドレスの印刷データをセレクトして読み出すことで印刷に適した形態のデータ出力をするようにしたもの（例えば、特許文献２参照。）が知られている。
【０００４】
また、光走査装置として用いられるレーザ走査装置としては、複数のレーザ光源及びその駆動回路を備え、各駆動回路に対して入力される画像出力信号によって光ビームを出力するもの（例えば、（特許文献３参照。）が知られている。
【０００５】
【特許文献１】
特開平４−１３８２６３号公報
【特許文献２】
特開平３−１０１９７６号公報
【特許文献３】
特開平１０−１３８５６０号公報
【０００６】
【発明が解決しようとする課題】
上述したように、画像形成装置で用いられる上記各光走査装置では、画像形成装置本体側から入力される出力画像データに基づいて、各装置構成に依存した互いに異なる制御方法によって光走査制御を行なうようになっており、例えば、上述の特許文献３に記載の走査型マルチビームレーザ露光器では、画像処理部より２つの画像データ信号がパラレル出力されるが、一方で、ＬＥＤ等のプリントヘッドでは、画像情報を示すシリアルデータをもとに走査制御処理を行なうようになっており、各光走査装置において用いられる画像データの形式はその装置構成に依存して異なっている。
【０００７】
このため、画像形成装置の開発工程では、画像データを光走査装置側へ出力するための画像処理部を光走査装置の構成に応じて別個に開発することが必要となり、このことによって、開発コストの低減が困難であった。
【０００８】
本発明は、上記の問題点を解決すべく成されたもので、互いに異なる構成の光走査装置に対して共通のデータ形式の制御信号を出力する画像形成装置、及び前記制御信号に基づいて光走査制御を行なう光走査装置を提供することを目的とする。
【０００９】
【課題を解決するための手段】
上記目的達成のため第１の発明は、入力された画像データを、主走査方向に沿った複数画素毎にパッキングする処理を行なってパッキングデータを出力する画像処理手段と、前記画像処理手段から出力されたパッキングデータを前記主走査方向に沿ったシリアルデータに展開して出力するデータ展開手段と、前記データ展開手段から出力されるシリアルデータに基づいて、画像情報を担持するための感光体に光ビームを走査することで、当該感光体上に画像を形成する走査手段と、を有している。
【００１０】
画像処理手段は、入力された画像データを、主走査方向に沿った複数画素毎にパッキングする処理を行なってパッキングデータを出力する。また、データ展開手段は、画像処理手段から出力されたパッキングデータを前記主走査方向に沿ったシリアルデータに展開して出力する。また、走査手段は、前記データ展開手段から出力されるシリアルデータに基づいて、画像情報を担持するための感光体に光ビームを走査することで、当該感光体上に画像を形成する。これにより、走査手段に対応したシリアルデータに基づく光走査制御を行なうことができる。なお、走査手段としては、規則的に配列された複数の光源アレイを有するものや、少なくとも１つの発光部を有するものを採用することができる。
【００１１】
第２の発明は、画像データが主走査方向に沿った複数画素毎にパッキングされたパッキングデータを、前記主走査方向に沿ったシリアルデータに展開して出力するデータ展開手段と、前記データ展開手段から出力されるシリアルデータに基づき、画像情報を担持するための感光体に光ビームを走査することで、当該感光体上に画像を形成する走査手段と、を有している。
【００１２】
データ展開手段は、画像データが主走査方向に沿った複数画素毎にパッキングされたパッキングデータを、主走査方向に沿ったシリアルデータに展開して出力する。また、走査手段は、データ展開手段から出力されるシリアルデータに基づき、画像情報を担持するための感光体に光ビームを走査することで、当該感光体上に画像を形成する。これにより、走査手段に対応したシリアルデータに基づく光走査制御を行なうことができる。なお、走査手段としては、規則的に配列された複数の光源アレイを有するものや、少なくとも１つの発光部を有するものを採用することができる。
【００１３】
【発明の実施の形態】
以下、図面を参照して本発明の実施の形態について説明する。
【００１４】
図１には、本発明の実施形態に係る光走査装置３０が設けられた画像形成装置１０の概略構成が示されている。
【００１５】
この画像形成装置１０の本体１１は、画像形成装置１０各部の制御を統括して行う主制御部としてのＣＰＵ１２、及び各種パラメータ等の制御データや制御プログラムを記憶するＲＯＭやＲＡＭで構成された内部メモリ１４を備えており、ＣＰＵ１２及び内部メモリ１４はバス１６を介して相互に接続されている。また、バス１６には、通信制御部１８、画像処理部２２、印刷処理制御部２４、及び光走査装置３０が接続されている。
【００１６】
通信制御部１８は、通信インターフェース（ＩＦ）１８Ａ及びネットワークを介して接続された、一般的なパーソナルコンピュータ（ＰＣ）等で構成されたプリントサーバ２０との間で、形成すべき画像を示すデータ（画像データ）及び画像データの形成動作に関わる各種設定情報（出力部数や記録用紙サイズ等の指定する情報等）を含むジョブ情報等の各種データを相互にやり取りするためのものである。
【００１７】
画像処理部２２は、ＣＰＵ１２の制御下で、通信ＩＦ１８Ａを介してプリントサーバ２０から送信された画像データを取得し、取得した画像データに対して濃度調整やスクリーニング処理等を行なうと共に、これらの処理を施した画像データを所定のデータ形式（詳細は後述）で光走査装置３０に出力するものである。
【００１８】
印刷処理制御部２４は、ＣＰＵ１２の制御下で、図２に示す、感光ドラム４０、帯電器４２、現像器４４、転写器４６、イレイザーランプ４８、クリーナ５０、及び定着器５２等の装置各部と、光走査装置３０と、を所定の制御方法によって駆動制御するものである。
【００１９】
上記光走査装置３０は、図２に示すように、複数の自己走査型ＬＥＤチップが実装されたＬＥＤプリントヘッド（ＬＰＨ）３２と、ＬＰＨ３２を駆動制御するＬＰＨ駆動部３４とから構成されている。
【００２０】
この光走査装置３０のＬＰＨ３２は、図２の矢印▲１▼方向に所定速度で等速回転する、像担持体としての上記感光体ドラム４０の上方に配設されている。図３に示すように、ＬＰＨ３２の各ＬＥＤチップは、感光ドラム４０表面上において主走査方向（図３の矢印▲２▼方向）に沿った走査ラインＳに対向するように配列されている。なお、記録用紙Ｐは、感光ドラム４０と転写器４６とが回転することに伴って、副走査方向（図３の矢印▲３▼方向）へ搬送されるようになっている。
【００２１】
このＬＰＨ３２は、ＬＰＨ３２の配設位置より感光ドラム４０の回転方向上流側に設けられた帯電器４２によって一様に帯電された感光ドラム表面に対して、光ビームを走査することで静電潜像を形成する。
【００２２】
感光ドラム４０表面に形成された静電潜像は、感光ドラムの回転に伴って現像器４４で現像されてトナー像が形成される。感光ドラム４０に形成されたトナー像は、現像器４４より感光ドラム４０の回転方向下流側に設けられた転写器４６にて、転写器４６と感光ドラム４０とによって挟持され用紙搬送路Ｔ上を図２の矢印▲２▼方向へ搬送される記録用紙Ｐ上に転写される。転写終了後、感光ドラム４０表面は、イレイザーランプ４８及びクリーナ５０によって残留したトナー等が除去されクリーニングが行なわる。一方、トナー像が転写された記録用紙Ｐは、用紙搬送路Ｔ上を図２の矢印▲２▼方向へさらに搬送され、定着器５２により記録用紙Ｐに転写されたトナー像が定着される。
【００２３】
図４には、上記ＬＰＨ駆動部３４の概略構成が示されている。このＬＰＨ駆動部３４は、メモリを含んで構成された画像展開部６０、複数の点灯制御駆動部６２、及びタイミング信号発生部６４を含んで構成されている。
【００２４】
点灯制御駆動部６２は、ＬＰＨ３２に複数個（本実施形態では、６０個）設けられた各ＬＥＤチップ３２Ａ各々に対応して複数個（本実施形態では、６０個）設けられている。各点灯制御駆動部６２の出力端は、それぞれ対応するＬＥＤチップ３２Ａに接続されており、各チップ制御信号ΦＩ＿１〜ΦＩ＿６０により対応する各ＬＥＤチップ３２Ａの点灯制御が行なわれる。なお、各ＬＥＤチップ３２Ａは、複数個、本実施の形態では１２８個の発光部を有している。
【００２５】
タイミング信号発生部６４は、ＬＰＨ３２の各ＬＥＤチップ３２Ａの発光タイミングを制御するタイミング信号を生成するものであり、生成したタイミング信号はＬＰＨ３２に入力される。
【００２６】
メモリを含んで構成された画像展開部６０の入力端は、画像処理部２２の出力端に接続されており、画像処理部２２からクロック信号（主走査方向に同期をとるための信号）と共に入力される画像データを一時記憶するようになっている。画像処理部から入力される画像データは、図５（Ａ）に示すように記録用紙Ｐの主走査方向に沿って複数（本実施形態では、４つ）の画素毎にデータがパッキングされたパッキングデータとしてパラレル信号転送される。画像展開部６０は、点灯制御駆動部６２に対して相互に各種データの授受が可能に接続されており、各ＬＥＤチップ３２Ａの発光部に対応する画素データが記録されているメモリアドレスを指示する点灯制御駆動部６２からのアドレス指示信号に従って、記憶した画像データから指示されたアドレスに対応する画像データを点灯制御駆動部６２へ出力する。すなわち、本実施の形態では、各ＬＥＤチップ３２Ａが１２８個の発光部を有しているので、点灯制御駆動部６２によって、１画素目、１２８画素目、２５６画素目、・・・、７６８１画素目のデータ、すなわち各ＬＥＤチップ３２Ａの最初の発光部を点灯させるデータがまず読み出され、次のタイミングで、２画素目、１２９画素目、２５７画素目、・・・、７６８２画素目のデータ、すなわち各ＬＥＤチップ３２Ａの２番目の発光部を点灯させるデータが読み出され、読み出されたデータに基づいて、図５（Ｂ）に示す各チップ制御信号ΦＩ＿１〜ΦＩ＿６０が各々対応するＬＥＤチップ３２Ａへパラレルに出力されて各ＬＥＤチップ３２Ａの点灯制御がなされる。
【００２７】
次に、図６を参照しながら、本実施の形態のデータ処理の流れについて説明する。
【００２８】
本実施の形態に係る画像形成装置１０では、ステップ１００で、プリントサーバ２０から送られた画像データを受信したと判断すると、次のステップ１０２へ進み、画像処理部２２において、受信した画像データについて、濃度調整したり、ＲＧＢ系データからＣＭＹＫ系のスクリーニングされた画像信号データに変換する前処理を実行する。
【００２９】
次のステップ１０４では、画像処理部２２にて、画像データに基づいて、図５（Ａ）に示すように記録用紙Ｐの主走査方向に沿って複数の画素のデータをパッキングしたパッキングデータを生成し、画像展開部６０へパラレル転送し、画像展開部６０で一時記憶する。
【００３０】
次のステップ１０６では、光源であるＬＰＨ３２の各ＬＥＤチップ３２Ａの点灯制御を行なうための光源駆動制御信号として、点灯制御駆動部６２によって、画像展開部６０に一時記憶された画像データをＬＰＨ３２の各ＬＥＤチップ３２Ａに対応する画素データ毎に読み出し、チップ制御信号ΦＩ＿１〜ΦＩ＿６０を生成する。
【００３１】
次のステップ１０８では、生成された光源駆動制御信号（チップ制御信号ΦＩ＿１〜ΦＩ＿６０）によって各ＬＥＤチップ３２Ａの走査タイミングに応じて発光走査を実行する。このとき、印刷処理制御部２４により感光ドラム４０の回転駆動制御等の各部駆動制御も同時に行なわれる。
【００３２】
なお、本実施の形態に係る光走査装置３０では、図７に示すように、ＬＰＨ３２が記録用紙Ｐに対してθ傾いていて取り付けられている場合、（Ｎ−１）×（副走査解像度ピッチ）≦ｘ×ｔａｎθ＜Ｎ×（副走査解像度ピッチ）の範囲（なお、ｘは主走査方向（図７の矢印▲１▼方向）の長さである。）で副走査方向（図７の矢印▲２▼方向）の画像データの走査タイミングをＮ行分遅らせて印字することで、形成画像のレジずれを補正するようになっている。ここでは、画像展開部６０に一時記憶された画像データを読み出すときに参照するメモリアドレスを上記の式の関係を保つようにＮ行分ずらして画像データを読み出すことで補正を行うようになっている。なお、ここでは、ＬＰＨ３２が記録用紙Ｐに対してθ分傾いて配設された場合の例を示したが、千鳥状の配列や製造誤差によるＬＥＤチップの非直線性を補正してもよい。
【００３３】
上述した本実施の形態に係る光走査装置３０では、光源としてＬＰＨ３２を用いた場合について説明したが、ここで、上記光走査装置３０の光源としてレーザ走査装置を用いた場合について説明する。
【００３４】
図８には、光源としてレーザ走査装置３６が適用された光走査装置３０Ａの概略構成が示されている。この光走査装置３０Ａは、図９に示すように、ＬＤ発光部７０を駆動するＬＤ駆動部３８と、ＬＤ発光部７０からのレーザビームを、レンズ７１、反射ミラー７２を介して回転するポリゴンミラー７６へ照射し、このポリゴンミラー７６によって偏向されたレーザビームによってｆθレンズ７４、反射ミラー７８を介して感光ドラム４０表面を走査するレーザ走査装置３６とを含んで構成されている。また、レーザ走査装置３６には、走査の開始位置を検出するＳＯＳセンサ７０が設けられており、ＳＯＳセンサ７９による走査開始位置の検出信号（ＳＯＳ信号）は上記画像処理部２２へ入力される。これにより、画像処理部２２では、主走査方向に同期して画像データを出力することができる。なお、その他の構成ついては、上述の画像形成装置１０と同様のため、同一符号を付してその説明を省略する。
【００３５】
図１０には、上記ＬＤ駆動部３８の概略構成が示されている。このＬＤ駆動部３８は、４つのＤ型フリップフロップ（ＦＦ）８０Ａ〜８０Ｄと、ＬＤ発光部７０を駆動するＬＤドライバ回路８２とを含んで構成されており、４つのＤ型ＦＦ８０Ａ〜８０Ｄは、互いに前段のＤ型ＦＦのＱ端子と後段のＤ型ＦＦのＤ端子とが接続されている。また、４つのＤ型ＦＦ８０Ａ〜８０Ｄの各Ｄ端子には、上記画像処理部２２の出力端が接続されており、Ｄ型ＦＦ８０Ｄの出力端はＬＤドライバ回路８２に接続されている。このことにより、図１１（Ａ）に示す画像処理部２２からパラレル転送される画像データ（４画素パッキングデータ）は、シリアルデータとしてＬＤドライバ回路８２へ出力されるので、Ｄ型ＦＦ８０Ａ〜８０Ｄは、データ展開手段として機能する。また、ＬＤドライバ回路８２によって、入力されるシリアル画像データに基づいて、上記ＳＯＳ信号及びクロック信号に同期してＬＤ制御信号（図１１（Ｂ）参照）が出力され、ＬＤ発光部７０の点灯制御がなされる。
【００３６】
なお、上述の光走査装置３０Ａを適用した画像形成装置における作用は、上述の画像形成装置１０の作用と同様のため、説明を省略する。
【００３７】
上述の光走査装置３０Ａでは、１つの光源（ＬＤ発光部７０）を備えたレーザ走査装置３６を含んで構成されているが、このレーザ走査装置３６に替えて、２つの光源を備えたレーザ走査装置を含んで構成してもよい。
【００３８】
この場合のレーザ走査装置３６Ｂは、図１２に示すように、２つの光源である第１ＬＤ発光部７０Ａ及び第２ＬＤ発光部７０Ｂと、当該第１ＬＤ発光部７０Ａ及び第２ＬＤ発光部７０Ｂを駆動するためのＬＤ駆動部９０と、を含んで構成されている。
【００３９】
ＬＤ駆動部９０は、上述のＬＤ駆動部３８と同一構成であるＬＤ駆動部３８Ａ、３８Ｂと、ＦＩＦＯメモリ８４とを含んで構成されている。ＬＤ駆動部３８Ａは、第１ＬＤ発光部７０Ａに接続され、ＬＤ駆動部３８Ｂは、第２ＬＤ発光部７０Ｂに接続されている。
【００４０】
また、ＬＤ駆動部３８Ａの入力端は、ＦＩＦＯメモリ８４を介して上記画像処理部２２に接続され、ＬＤ駆動部３８Ａの入力端は、上記画像処理部２２に直接接続されている。ここでは、画像処理部２２から転送される画像データは、その奇数ラインに対応する画像データがＦＩＦＯメモリ８４へ入力され、偶数ラインに対応する画像データがＬＤ駆動部３８Ｂへ入力されるようになっている（図１３（Ａ）参照）。このとき、図１３（Ａ）に示すように、奇数ラインに対応する画像データが転送される場合、ＦＩＦＯ書込許可信号はＨ状態になり、ＦＩＦＯメモリ８４にはそのデータが蓄積される。また、遇数ラインに対応する画像データが転送されるタイミングで、ＦＩＦＯ読込許可信号はＨ状態になり、ＦＩＦＯメモリ８４に蓄積したデータが読み出される。このように、転送された奇数ラインに対応する画像データは、まずＦＩＦＯメモリ８４に記憶され、偶数ラインに対応する画像データが転送されるタイミングで同時にパラレルデータからシリアルデータに、各ＬＤ駆動部３８Ａ、３８Ｂにより変換され、上記ＳＯＳ信号及びクロック信号に同期してＬＤ制御信号（図１３（Ｂ）参照）が出力され、第１ＬＤ発光部７０Ａ及び第２ＬＤ発光部７０Ｂの点灯制御がなされる。
【００４１】
このことにより、図１４に示すように、ＬＤ駆動部３８Ａにより駆動される第１ＬＤ発光部７０Ａによってラスター画像の奇数ラインを走査し、ＬＤ駆動部３８Ｂにより駆動される第２ＬＤ発光部７０Ｂによってラスター画像の偶数ラインを走査し、かつラスター画像の奇数ラインと偶数ラインを同時に走査することができる。
【００４２】
以上のように、本実施の形態によれば、光走査装置の構成として、ＬＰＨやレーザ走査装置といった異なる構成を適用した場合でも、共通のデータ形成で入力される画像データに基づいて各構成に応じた走査制御を行なうことができる。
【００４３】
なお、本実施の形態に係る光走査装置３０においてＬＰＨ３２を適用した場合に、図１５（Ａ）に示すように、ＬＰＨ３２から、レーザ走査装置３６で用いられる同期信号としてのＳＯＳ信号（図１５（Ｂ）参照）のように、擬似的なＳＯＳ信号を画像処理部２２に出力するようにしてもよい。これにより、ＬＰＨ３２及びレーザ走査装置３６と画像処理部２２とにおける同期方法を共通化することができる。
【００４４】
【発明の効果】
以上説明したように、本発明によれば、入力された画像データが主走査方向に沿った複数画素毎にパッキングされたパッキングデータを、データ展開手段によって前記主走査方向に沿ったシリアルデータに展開して出力し、走査手段よって前記データ展開手段から出力されるシリアルデータに基づいて、画像情報を担持するための感光体に光ビームを走査するようにしたので、互いに異なる構成の光走査装置に対して共通のデータ形式の制御信号を出力する画像形成装置、及び前記制御信号に基づいて光走査制御を行なう光走査装置を提供できる、という優れた効果を有する。
【図面の簡単な説明】
【図１】本発明の実施の形態に係る画像形成装置の概略構成を示す図である。
【図２】ＬＰＨを適用した光走査装置の概略構成を示す図である。
【図３】ＬＰＨと感光ドラムとの配置関係を説明するための概略図である。
【図４】ＬＰＨを駆動するＬＰＨ駆動部の概略構成を示す図である。
【図５】（Ａ）は画像データ（パッキング）を示すタイムチャートであり、（Ｂ）は各チップ制御信号を示すタイムチャートである。
【図６】本実施の形態に係る走査制御処理の流れを示すフローチャートである。
【図７】ＬＰＨの設置ずれに起因する、形成画像のレジずれ補正について説明するための図である。
【図８】レーザ走査装置を適用した光走査装置の概略構成を示す図である。
【図９】レーザ走査装置内各部の配置関係を示す概略図である。
【図１０】ＬＤ発光部を駆動するＬＤ駆動部の概略構成を示す図である。
【図１１】（Ａ）は画像データ（パッキング）を示すタイムチャートであり、（Ｂ）はＬＤ制御信号を示すタイムチャートである。
【図１２】複数のＬＤ発光部を駆動するＬＤ駆動部の概略構成を示す図である。
【図１３】（Ａ）は画像データ（パッキング）を示すタイムチャートであり、（Ｂ）はＬＤ制御信号を示すタイムチャートである。
【図１４】ラスター画像の走査ラインを示す図である。
【図１５】（Ａ）及び（Ｂ）は、ＬＰＨ及びレーザ走査装置と画像処理部とにおける同期方法を共通化の例について説明するための図である。
【符号の説明】
１０　　画像形成装置
１２　　ＣＰＵ
２０　　プリントサーバ
２２　　画像処理部
３０、３０Ａ　　光走査装置
３２　　ＬＰＨ
３２Ａ　　ＬＥＤチップ
３４　　ＬＰＨ駆動部
３６　　レーザ走査装置
３８、３８Ａ、３８Ｂ、９０　　ＬＤ駆動部
４０　　感光ドラム
６０　　画像展開部
６２　　点灯制御駆動部
７０　　ＬＤ発光部
７０Ａ　　第１ＬＤ発光部
７０Ｂ　　第２ＬＤ発光部
７９　　ＳＯＳセンサ
８０Ａ〜８０Ｄ　　Ｄ型ＦＦ
８４　　ＦＩＦＯメモリ
【図１】
2004098391.tif 000003
【図２】
2004098391.tif 000004
【図３】
2004098391.tif 000005
【図４】
2004098391.tif 000006
【図５】
2004098391.tif 000007
【図６】
2004098391.tif 000008
【図７】
2004098391.tif 000009
【図８】
2004098391.tif 000010
【図９】
2004098391.tif 000011
【図１０】
2004098391.tif 000012
【図１１】
2004098391.tif 000013
【図１２】
2004098391.tif 000014
【図１３】
2004098391.tif 000015
【図１４】
2004098391.tif 000016
【図１５】
2004098391.tif 000017